(57)【特許請求の範囲】
【請求項１】
建具取付部に取り付ける開口枠体に埋込み固定される円筒状の固定具と、この固定具内に嵌合され中心部にねじ軸挿通孔を有する調整板と、前記固定具に着脱可能に螺合されこの固定具内の前記調整板を軸方向に移動不能に支持する円筒状の支持具と、この支持具から前記調整板のねじ軸挿通孔に挿通され前記建具取付部に前記開口枠体を取り付ける調整ねじと、を具備し、
前記固定具は、一端面に前記支持具を挿入する挿入口を開口するとともにこの挿入口に連通して前記支持具を螺合するねじ孔と、他端面に前記ねじ孔に連通して形成され前記調整ねじを挿通する挿通孔と、外周面に突設され前記開口枠体に圧入する圧入係止部と、を有し、
前記調整板は、前記固定具のねじ孔の内端側に当接する当接部と、この当接部から中心部に向かってそれぞれ突出され先端部にて前記固定具の挿通孔に連通する前記ねじ軸挿通孔を形成した複数の弾性突片と、を有し、
前記支持具は、外周面に形成され前記固定具のねじ孔に螺合するねじ部と、両端面に開口して形成され前記調整ねじを回動操作する治具挿入用の治具挿入孔と、この治具挿入孔の他端開口縁部に形成され前記固定具のねじ孔の内端側との間で前記調整板を挟持してこの調整板を軸方向に移動不能に支持する支持部と、を有し、
前記調整ねじは、前記支持具の治具挿入孔内に位置してこの調整ねじをねじ込み操作する操作部と、この操作部に一体に形成され前記調整板のねじ軸挿通孔に前記複数の弾性突片に抗して挿通しこの複数の弾性突片の先端部にて軸方向に移動不能に係止される係止軸部及び前記建具取付部にねじ込む軸方向のねじ軸部と、を有する、
ことを特徴とする建具用開口枠固定金具。
【請求項２】
固定具は、一端面の挿入口の開口縁部にこの固定具を回動操作する複数の治具係合溝を有するとともに、ねじ孔の内端側に形成され調整板の当接部を当接する当接段部を有する、
ことを特徴とする請求項１記載の建具用開口枠固定金具。
【請求項３】
支持具は、治具挿入孔の一端開口部にこの支持具を回動操作する多角形状の治具係合部を有するとともに、前記治具挿入孔の他端開口部内に調整ねじの操作部を回転自在に嵌合する、
ことを特徴とする請求項１記載の建具用開口枠固定金具。
【発明の詳細な説明】
【０００１】
【発明の属する技術分野】
本発明は建具用開口枠固定金具に係り、たとえば、柱体等の建具取付部に扉体等を開閉自在に取り付ける開口枠体を固定するものに関する。
【０００２】
【従来の技術】
従来、この種の建具用開口枠固定金具としては、たとえば、特開平９−１１２１３５号公報に記載されているように、建具取付部に取り付ける開口枠体に埋込み固定する雄ねじ部を有する円筒状の調整固定具の外端部にこの調整固定具の径より大きい座金を回転自在にかつ軸方向に移動不能に取り付け、この調整固定具に前記開口枠体を前記建具取付部に固定する固定ねじを挿入する構成が知られている。
【０００３】
また、実用新案登録第３０２８８８９号公報に記載されているように、開口枠固定金具は建具取付部に取り付ける開口枠体にねじ込む第１のねじ軸部と、前記建具取付部にねじ込む第２のねじ軸部と、を有し、前記第１のねじ軸部と第２のねじ軸部とは互いに回転自在にかつ軸方向に移動不能に連結する構成が知られている。
【０００４】
【発明が解決しようとする課題】
前記特開平９−１１２１３５号公報に記載の構成では、開口枠体に調整固定具を取り付けるときは、調整固定具の外端部にこの調整固定具の径より大きい座金を有するので、この調整固定具の雄ねじ部の内端部を開口枠体の外側面から螺合し、この開口枠体の内側面から前記調整固定具を回転操作して調整固定具の雄ねじ部を開口枠体の内側に向かって引き込んで開口枠体に埋設し、この調整固定具の雄ねじ部の外端部と座金との間及び座金を開口枠体の外側面から外方に向かって突出させるため、開口枠体に対する調整固定具の取り付けに手数を要し、開口枠体の外側面から突出させる座金の突出量を建具取付部と開口枠体との間の間隔を調整して突出しなければならず、すなわち、建具取付部に開口枠体を取り付ける際には座金を建具取付部に当接した状態で調整固定具から座金を介して建具取付部に固定ねじを挿入するため、座金は建具取付部に当接する状態に突出しなければならず、さらに、建具取付部と開口枠体との間の間隔を調整する際には開口枠体に埋設した調整固定具を回動操作する手数を要し、したがって、現場作業が簡単ではなく、作業能率を向上する上で好ましくない、という問題がある。また、現場とは別に工場等で開口枠体に調整固定具をあらかじめ取り付けて現場に運搬するようにすると、開口枠体の外側面から調整固定具の雄ねじ部の外端部と座金との間及び座金が突出するため、梱包が容易でなく、整然と積み込み難く運搬上に不都合がある、という問題もある。
【０００５】
また、実用新案登録第３０２８８８９号公報に記載の構成では、第１のねじ軸部と第２のねじ軸部とは互いに回転自在にかつ軸方向に移動不能に連結され、全体として長さを有するため、この第１のねじ軸部と第２のねじ軸部とを開口枠体から建具取付部に真っ直ぐにねじ込むことが簡単ではなく、開口枠体に対する第１のねじ軸部と建具取付部に対する第２のねじ軸部とは同時にねじ込む必要があるため、特殊のねじ込み治具を必要とし、強いねじ込み力を必要とする、という問題がある。また、現場とは別に工場等で開口枠体に第１のねじ軸部をあらかじめ取り付けて現場に運搬するようにすると、開口枠体の外側面から第２のねじ軸部が突出するため、梱包が容易でなく、整然と積み込み難く運搬上に不都合がある、という問題もある。
【０００６】
本発明は、このような点に鑑みてなされたもので、現場作業が容易で、建具取付部に対する開口枠体の調整操作が容易で、工場等で開口枠体に固定具及びこの固定具に調整板を介して支持具を取り付けても開口枠体から調整ねじが突出することもなく、運搬する際も開口枠体を整然と積み込むことができる建具用開口枠固定金具を提供することを目的とするものである。
【０００７】
【課題を解決するための手段】
請求項１記載の発明は、建具取付部に取り付ける開口枠体に埋込み固定される円筒状の固定具と、この固定具内に嵌合され中心部にねじ軸挿通孔を有する調整板と、前記固定具に着脱可能に螺合されこの固定具内の前記調整板を軸方向に移動不能に支持する円筒状の支持具と、この支持具から前記調整板のねじ軸挿通孔に挿通され前記建具取付部に前記開口枠体を取り付ける調整ねじと、を具備し、前記固定具は、一端面に前記支持具を挿入する挿入口を開口するとともにこの挿入口に連通して前記支持具を螺合するねじ孔と、他端面に前記ねじ孔に連通して形成され前記調整ねじを挿通する挿通孔と、外周面に突設され前記開口枠体に圧入する圧入係止部と、を有し、前記調整板は、前記固定具のねじ孔の内端側に当接する当接部と、この当接部から中心部に向かってそれぞれ突出され先端部にて前記固定具の挿通孔に連通する前記ねじ軸挿通孔を形成した複数の弾性突片と、を有し、前記支持具は、外周面に形成され前記固定具のねじ孔に螺合するねじ部と、両端面に開口して形成され前記調整ねじを回動操作する治具挿入用の治具挿入孔と、この治具挿入孔の他端開口縁部に形成され前記固定具のねじ孔の内端側との間で前記調整板を挟持してこの調整板を軸方向に移動不能に支持する支持部と、を有し、前記調整ねじは、前記支持具の治具挿入孔内に位置してこの調整ねじをねじ込み操作する操作部と、この操作部に一体に形成され前記調整板のねじ軸挿通孔に前記複数の弾性突片に抗して挿通しこの複数の弾性突片の先端部にて軸方向に移動不能に係止される係止軸部及び前記建具取付部にねじ込む軸方向のねじ軸部と、を有する、ものである。
【０００８】
そして、固定具内に調整板及び支持具を組み込むときは、固定具のねじ孔内に調整板を嵌合し、このねじ孔の内端側に調整板の当接部を当接し、この固定具のねじ孔に支持具の外周部のねじ部を螺合して支持具を回動操作することにより、この支持具が固定具のねじ孔に深くねじ込まれ、この支持具の治具挿入孔の他端開口縁部の支持部が調整板の当接部に当接され、この支持具の支持部と固定具のねじ孔の内端側との間に調整板の当接部が挟持され、この調整板が固定される。したがって、固定具内に調整板及び支持具が簡単に組み込まれる。
【０００９】
また、開口枠体に調整板及び支持具を組み込んだ固定具を埋設するときは、開口枠体の埋設位置に固定具を挿入するとともに、この固定具内の支持具を回動操作することにより、この支持具にて固定具が回動され、この固定具の外周面の圧入係止部が埋設位置の内壁部に圧入される。そして、調整板及び支持具を組み込んだ固定具が開口枠体の埋設位置に埋設固定され、この固定具のねじ孔の一端面の挿入口が開口枠体の内側面に開口され、この固定具の他端面の挿通孔が開口枠体の外側面に開口される。したがって、調整板及び支持具を組み込んだ固定具が開口枠体の埋設位置に簡単に埋設固定される。
【００１０】
また、建具取付部に開口枠体を取付けるときは、建具取付部に開口枠体の外側面を対向して開口枠体を配置し、この開口枠体に固定された固定具のねじ孔に螺着された支持具の治具挿入孔から調整板のねじ軸挿通孔に調整ねじのねじ軸部を挿通し、この治具挿入孔内に位置した調整ねじの操作部を回動操作することにより、この調整ねじのねじ軸部が建具取付部に深くねじ込まれるとともに、この調整ねじの操作部側の係止軸部が調整板のねじ軸挿通孔を形成した複数の弾性突片に抗して挿通される。
【００１１】
そして、調整板のねじ軸挿通孔より大径の調整ねじの操作部が調整板のねじ軸挿通孔の開口縁部に当接されるとともに、この調整板のねじ軸挿通孔を形成した複数の弾性突片が弾性復帰してこの複数の弾性突片の先端部が調整ねじの係止軸部に圧着係止し、この複数の弾性突片の先端部にて調整ねじがこの調整ねじのねじ込み方向と反対方向に向かって抜け出すことを阻止される。すなわち、調整ねじは、固定具と支持具とにより挟持された複数の弾性突片を有する調整板にて軸方向に移動不能に確実に支持される。
【００１２】
したがって、開口枠体から建具取付部に調整ねじをねじ込み操作することにより、この調整ねじにて建具取付部に開口枠体が簡単に取り付けられる。
【００１３】
つぎに、建具取付部に取り付けた開口枠体を建具取付部に対して垂直状に調整して矯正する必要がある場合は、支持部の治具挿入孔から調整ねじの操作部にこの操作部を回動操作する操作治具を嵌合し、この操作治具にて操作部を回動操作することにより、この調整ねじの係止軸部が調整板の複数の弾性突片の先端部に対して回動されるとともに、この調整ねじのねじ軸部が建具取付部に対して調整回動されて進退回動される。
【００１４】
このとき、調整ねじは、固定具と支持具とにより挟持された複数の弾性突片を有する調整板にて軸方向に移動不能に支持されていることにより、この調整ねじが調整回動されて進退動されると、この調整ねじにて開口枠体が建具取付部に対して進退動されて間隔が調整され、この開口枠体が建具取付部に対して簡単に垂直状に矯正される。
【００１５】
したがって、調整板及び支持具を組み込んだ固定具を開口枠体の埋設位置に埋設固定し、この固定具内の支持具内から建具取付部に調整ねじを組付けることにより、建具取付部に対して開口枠体が簡単に取り付けられるため、現場作業が容易であり、また、調整ねじを調整操作することにより、建具取付部に対して開口枠体が簡単に垂直状に矯正される。
【００１６】
また、開口枠体に調整板及び支持具を組み込んだ固定具を埋設固定しても、この固定具等とは別体の調整ねじが開口枠体の外面に突出することがなく、工場で開口枠体に、調整板及び支持具を組み込んだ固定具をあらかじめ埋設固定しても、この開口枠体の梱包及び運搬が容易に行われる。
【００１７】
請求項２記載の発明は、請求項１記載の発明において、固定具は、一端面の挿入口の開口縁部にこの固定具を回動操作する複数の治具係合溝を有するとともに、ねじ孔の内端側に形成され調整板の当接部を当接する当接段部を有する、ものである。
【００１８】
そして、複数の治具係合溝に固定具を回動操作する操作治具を係合して操作治具を回動操作することにより、この操作治具にて固定具が確実に回動され、特に固定具を開口枠体から取外す際に有利である。また、固定具のねじ孔に調整板を嵌合することにより、この調整板の当接部が固定具の当接段部に当接され、この当接段部と支持具の支持部とにより調整板の当接部が確実に挟持され、この調整板にて調整ねじが軸方向に移動不能に確実に支持される。
【００１９】
請求項３記載の発明は、請求項１記載の発明において、支持具は、治具挿入孔の一端開口部にこの支持具を回動操作する多角形状の治具係合部を有するとともに、前記治具挿入孔の他端開口部内に調整ねじの操作部を回転自在に嵌合する、ものである。
【００２０】
そして、多角形状の治具係合部に支持具を回動操作する操作治具を係合して操作治具を回動操作することにより、この操作治具にて支持具が固定具のねじ孔に簡単にかつ確実に深くねじ込まれる。また、開口枠体に調整板及び支持具を組み込んだ固定具を埋設するときは、この支持具の治具係合部に操作治具を係合して操作治具を回動操作することにより、この操作治具にて支持具を介して固定具が回動され、この固定具の外周面の圧入係止部が埋設位置の内壁部に圧入される。そして、調整板及び支持具を組み込んだ固定具が開口枠体の埋設位置に確実に埋設固定される。また、治具挿入孔の他端開口部内に調整ねじの操作部を回転自在に嵌合することにより、治具挿入孔内において調整板に対して調整ねじの操作部が容易に調整回動される。
【００２１】
【発明の実施の形態】
以下、本発明の一実施の形態を図面を参照して説明する。
【００２２】
１は建具取付部で、この建具取付部１は相対して離間して垂直状に固定された左右の柱体２にて形成され、この左右の柱体２は上端部間に一体に固定された水平状の上端固定枠３を有している。
【００２３】
４は前記建具取付部１すなわち前記左右の柱体２に取り付ける開口枠体で、この開口枠体４は、前記左右の柱体２に所定の間隔５をおいて取り付ける左右の側枠６と、この左右の側枠６の上端部間に一体に固定され前記上端固定枠３に沿って対向する水平状の上端枠７と、この上端枠７に対向して前記左右の側枠６の下端部間に一体に固定された水平状の下端枠８、を有して形成されている。
【００２４】
また、前記左右の側枠６に上下方向に所定の間隔をおいて前記左右の柱体２に向かって貫通した円筒状の固定具埋設孔９がそれぞれ形成され、この各固定具埋設孔９は、前記左右の柱体２と反対側の内面に開口した大径孔部10と、この大径孔部10に連通し前記左右の柱体２側の外面に開口した大径孔部10より小径の小径孔部11と、を有し、前記大径孔部10には後述する固定具の一端部を埋設する比較的短い長さに形成され、前記小径孔部11は後述する固定具を一端部を除いて埋設する長さに形成されている。
【００２５】
また、前記左右の側枠６に前後面に開口した上下方向の嵌合溝12がそれぞれ形成され、この前後の嵌合溝12に前記左右の柱体２と前記左右の側枠６との間の間隔５を閉塞するケーシング13の嵌合突部14が嵌合されて接着剤にて一体に固定されるようになっている。
【００２６】
15は前記左右の柱体２に前記左右の側枠６を取り付ける建具用開口枠固定金具で、この開口枠固定金具15は、前記左右の側枠６に埋込み固定される円筒状の固定具16と、この固定具16内に嵌合される調整板31と、前記固定具16に着脱可能に螺合されこの固定具16内の前記調整板31を軸方向に移動不能に支持する円筒状の支持具18と、この支持具18から前記調整板31に挿通され前記左右の柱体２に前記左右の側枠６を取り付ける調整ねじ17と、を有して構成されている。
【００２７】
前記固定具16は、一端面に前記支持具18を挿入する挿入口19を開口するとともに、この挿入口19に連通して前記支持具18を他端面に向かって螺合する雌ねじ20を形成した軸方向のねじ孔21と、他端面に一体の閉塞板22の中心部に形成され前記ねじ孔21に連通して前記調整ねじ17を挿通する挿通孔23と、外周面に突設され前記左右の側枠６の小径孔部11に圧入する圧入係止部としての軸方向の螺旋状突条24と、前記一端面のねじ孔21の挿入口19の開口縁部に相対して形成されこの固定具16を回動操作する複数の治具係合溝25と、前記他端面の挿通孔23の開口縁部の近傍で前記ねじ孔21の内端側に形成された当接段部26と、を有して形成されている。
【００２８】
また、前記固定具16は全体として一端部から他端部に向かって順次縮径した形状に形成され、その外周面に突設された前記螺旋状突条24は一端部から他端部に向かって順次高さを低くして外周面に突設され、この螺旋状突条24に複数個の略三角形状の切欠部27が軸方向に沿って間隔をおいて形成され、この各切欠部27間の螺旋状突条24がそれぞれ独立して前記左右の側枠６の小径孔部11に食い込んで圧入されるようになっている。
【００２９】
前記調整ねじ17は、前記支持具18内に位置してこの調整ねじ17をねじ込み操作するプラス溝を有する大径頭部状の操作部28と、この操作部28に一体に形成され前記左右の柱体２にねじ込む軸方向のねじ軸部29a 及び前記調整板31に係止される係止軸部29b と、を有し、この係止軸部29b は前記操作部28側に位置して形成され、この係止軸部29b に連続して前記ねじ軸部29a が軸方向に一体に形成されている。
【００３０】
また、前記係止軸部29b は前記操作部28の近傍に位置して前記調整板31により係止される環状溝30を有している。また、前記ねじ軸部29a は軸方向に螺旋状の雄ねじ32を有している。
【００３１】
前記調整板31は、前記調整ねじ17のねじ軸部29a 及び係止軸部29b を回動自在に挿通するねじ軸挿通孔33a を有する前記調整ねじ17の操作部28より大径の円板状の座金33と、前記調整ねじ17のねじ軸部29a 及び係止軸部29b を挿通するねじ軸挿通孔34a を有する前記調整ねじ17の操作部28より大径のスプリングワッシャ35と、を有して構成されている。
【００３２】
また、前記スプリングワッシャ35は、前記固定具16のねじ孔21の内端側に形成された前記当接段部26に当接する環状の当接部35a と、この当接部35a から前記調整ねじ17のねじ込み方向に僅かに傾斜してこの当接部35a の中心部に向かってそれぞれ突出され先端部34b にて前記ねじ軸挿通孔34a を形成した複数の弾性突片34と、を有して形成されている。
【００３３】
前記ねじ軸挿通孔34a は、前記調整ねじ17のねじ軸部29a 及び係止軸部29b より僅かに小径に形成され、このねじ軸挿通孔34a に調整ねじ17のねじ軸部29a 及び係止軸部29b を挿通する際にはこのねじ軸挿通孔34a に前記複数の弾性突片34に抗して、すなわち、ねじ軸部29a 及び係止軸部29b の外周部にて前記複数の弾性突片34を弾性変形させて、このねじ軸挿通孔34a に調整ねじ17のねじ軸部29a 及び係止軸部29b が挿通されるようになっている。
【００３４】
また、この調整ねじ17の操作部28が前記座金33に当接するとともに、この調整ねじ17の係止軸部29b の環状溝30に前記複数の弾性突片34の先端部34b がそれぞれ嵌合し、この複数の弾性突片34の先端部34b にて調整ねじ17が軸方向に移動不能に係止されるようになっている。
【００３５】
前記支持具18は、外周面に形成され前記固定具16のねじ孔21の雌ねじ20に螺合する軸方向の雄ねじ36を有するねじ部37と、両端面に開口して形成され前記調整ねじ17の操作部28を回動操作する治具挿入孔38と、この治具挿入孔38の一端開口部に形成されこの支持具18を回動操作する多角形状の治具係合部39と、前記治具挿入孔38の他端開口部に形成され前記調整ねじ17の操作部28を回転自在に嵌合する嵌合部40と、前記治具挿入孔38の他端開口縁部に形成され前記固定具16の当接段部26との間で前記調整板31、すなわち座金33の周縁部及び前記スプリングワッシャ35の当接部35a を挟持してこの座金33及びスプリングワッシャ35を軸方向に移動不能に支持する支持部41と、を有して形成されている。
【００３６】
しかして、前記固定具16、前記調整ねじ17、前記支持具18及び前記調整板31は金属にてそれぞれ別体に形成されている。
【００３７】
つぎに、前記実施の形態の作用を説明する。
【００３８】
まず、各固定具16内に調整板31及び支持具18を組み込むときは、各固定具16のねじ孔21内に調整板31をそれぞれ嵌合し、この各ねじ孔21の内端側の当接段部26に調整板31、すなわちスプリングワッシャ35の当接部35a を当接するとともに、このスプリングワッシャ35の当接部35a に座金33の周縁部をそれぞれ当接することにより、このスプリングワッシャ35のねじ軸挿通孔34a に座金33のねじ軸挿通孔33a が連通される。
【００３９】
また、各固定具16のねじ孔21に支持具18の外周部のねじ部37を螺合して各支持具18を、この各支持具18の治具係合部39に係合した操作治具によりそれぞれ回動操作すると、この各支持具18がそれぞれの固定具16のねじ孔21にそれぞれ深くねじ込まれ、この各支持具18の治具挿入孔38の他端開口縁部の支持部41が調整板31の当接部、すなわち座金33の周縁部にそれぞれ当接され、この各支持具18の支持部41と各固定具16のねじ孔21の内端側の当接段部26との間に調整板31の当接部、すなわちスプリングワッシャ35の当接部35a 及び座金33の周縁部が挟持され、このスプリングワッシャ35及び座金33が各固定具16内に確実に固定される。したがって、各固定具16内に調整板31及び支持具18が簡単に組み込まれる。
【００４０】
また、開口枠体４の左右の側枠６に調整板31及び支持具18を組み込んだ固定具16を埋設するときは、開口枠体４の左右の側枠６の各固定具埋設孔９に固定具16をそれぞれ挿入するとともに、この各固定具16内の支持具18を、この各支持具18の治具係合部39に係合した操作治具によりそれぞれ回動操作すると、この各支持具18にて固定具16がそれぞれ回動され、この各固定具16の外周面の螺旋状突条24が固定具埋設孔９の小径孔部11の内壁部にねじ込まれて圧入される。そして、調整板31及び支持具18を組み込んだ各固定具16が小径孔部11にそれぞれ埋設固定されるとともに、この各固定具16の一端部が固定具埋設孔９の大径孔部11内にそれぞれ深く埋設される。
【００４１】
この際、各固定具16の外周面の螺旋状突条24は所定の間隔をおいて切欠部27を有するので、この各切欠部27間の螺旋状突条24がそれぞれ独立して小径孔部11の内壁部に喰い込み、その喰い込みが次第に深くなり、そして一旦喰い込んだ螺旋状突条24はそれぞれ独立して固定具16の回動を阻止し、したがって、各固定具16が小径孔部11に確実に埋設固定される。
【００４２】
そして、この各固定具16のねじ孔21の一端面の挿入口19が左右の側枠６の内側面にそれぞれ開口され、この各固定具16の他端面の挿通孔23が左右の側枠６の外側面にそれぞれ開口される。
【００４３】
したがって、左右の側枠６の各固定具埋設孔９内に調整板31及び支持具18を組み込んだ各固定具16がそれぞれ簡単に埋設固定され、かつ、この各固定具16は両側端が左右の側枠６の両面に突出することのない状態に埋設固定される。
【００４４】
つぎに、左右の枠体２に開口枠体４を取り付けるときは、左右の柱体２に左右の側枠６の外側面を対向して開口枠体４を配置し、この開口枠体４の左右の側枠６に固定された各固定具16のねじ孔21に螺着された各支持具18の治具挿入孔38から座金33のねじ軸挿通孔33a 及びスプリングワッシャ35のねじ軸挿通孔34a に調整ねじ17のねじ軸部29a をそれぞれ挿通し、この各治具挿入孔38内に位置した各調整ねじ17の操作部28をそれぞれ回動操作することにより、この各調整ねじ17のねじ軸部29a が左右の柱体２にそれぞれ深くねじ込まれるとともに、この各調整ねじ17の操作部28側の係止軸部29b が各調整板31のスプリングワッシャ35にねじ軸挿通孔34a を形成した複数の弾性突片34に抗してそれぞれ挿通される。
【００４５】
そして、各調整板31のスプリングワッシャ35のねじ軸挿通孔34a 及び座金33のねじ軸挿通孔33a より大径の各調整ねじ17の操作部28が座金33のねじ軸挿通孔33a の開口縁部に当接されるとともに、この各スプリングワッシャ35にねじ軸挿通孔34a を形成した複数の弾性突片34が弾性復帰してこの複数の弾性突片34の先端部34b が各調整ねじ17の係止軸部29b に形成された環状溝30にそれぞれ圧着係止し、この複数の弾性突片34の先端部34b にて各調整ねじ17がこの調整ねじ17のねじ込み方向と反対方向に向かって抜け出すことを阻止される。すなわち、各調整ねじ17は、各固定具16と各支持具18とにより挟持された複数の弾性突片34を有する調整板31にて軸方向に移動不能に確実に支持される。
【００４６】
したがって、左右の側枠６から左右の柱体２に各調整ねじ17をそれぞれねじ込み操作することにより、この各調整ねじ17にて左右の柱体２に左右の側枠６が簡単に取り付けられる。
【００４７】
つぎに、左右の柱体２に取り付けた開口枠体４の左右の側枠６を、左右の柱体２に対して垂直状に調整して矯正する必要がある場合は、その左右の側枠６を調整する位置の開口枠固定金具15の支持具18の治具挿入孔38から調整ねじ17の操作部28にこの操作部28を回動操作する操作治具（図示せず）を嵌合し、この操作治具にて操作部28を回動操作することにより、この調整ねじ17の係止軸部29b が環状溝30で調整板31の複数の弾性突片34の先端部34b に対して回動されるとともに、この調整ねじ17のねじ軸部29a が左右の柱体２に対して進退回動される。
【００４８】
このとき、調整ねじ17は、固定具16と支持具18とにより挟持された複数の弾性突片34を有する調整板31にて軸方向に移動不能に支持されていることにより、この調整ねじ17が調整回動されて進退動されると、この調整ねじ17にて左右の側枠６が左右の柱体２に対して進退動されて間隔５が調整され、この左右の側枠６が左右の柱体２に対して簡単に垂直状に矯正される。
【００４９】
そして、左右の側枠６の一部が左右の柱体２に近付き過ぎたり、離間し過ぎることを確実に防止され、この開口枠体４内に扉体等の開閉体をスムーズに開閉自在にかつ精度よく取り付けることができる。
【００５０】
したがって、調整板31及び支持具18を組み込んだ固定具16を開口枠体４の埋設位置に埋設固定し、この固定具16内の支持具18内から左右の柱体２に調整ねじ17を組付けることにより、左右の柱体２に対して開口枠体４の左右の側枠６が簡単に取り付けられるため、現場作業が容易であり、また、調整ねじ17を調整操作することにより、左右の柱体２に対して開口枠体４の左右の側枠６が簡単に垂直状に矯正される。
【００５１】
つぎに、左右の側枠６の前後面の嵌合溝12にケーシング13の嵌合突部14をそれぞれ嵌合して接着剤にて接着固定するとともに、この両ケーシング13の左右の柱体２に当接する部分を接着剤にて左右の柱体２に接着固定することにより、この両ケーシング13にて左右の柱体２と左右の側枠６との間の間隔５が前後方向の両面から確実に閉塞される。そして、扉体等の開閉体を取り付ける開口枠体４が左右の柱体２に体裁よく固定されて仕上げられ、これらの外観性が向上される。
【００５２】
つぎに、固定具16は、一端面の挿入口19の開口縁部にこの固定具16を回動操作する複数の治具係合溝25を有することにより、この複数の治具係合溝25に固定具16を回動操作する操作治具（図示せず）を係合して操作治具を回動操作することにより、この操作治具にて固定具16が確実に回動され、特に固定具16を開口枠体４の左右の側枠６から取外す際に有利である。
【００５３】
また、支持具18は、治具挿入孔38の一端開口部にこの支持具18を回動操作する多角形状の治具係合部39を有するとともに、多角形状の治具係合部39に支持具18を回動操作する操作治具（図示せず）を係合して操作治具を回動操作することにより、この操作治具にて支持具18が固定具16のねじ孔21に簡単にかつ確実に深くねじ込まれる。また、この操作治具にて支持具18を介して固定具16が固定具埋設孔９の小径孔部11内にねじ込まれて確実に圧入されて埋設固定される。また、治具挿入孔38の他端開口部内に調整ねじ17の操作部28を回転自在に嵌合することにより、治具挿入孔38内において挟持された調整板31に対して調整ねじ17の操作部28が容易に調整回動される。
【００５４】
つぎに、左右の側枠６に固定具16を埋設固定するとともに、この固定具16内に調整板31及び支持具18を設けても、この固定具16等とは別体の調整ねじ17が左右の側枠６の外面に突出することがなく、工場で左右の側枠６に調整板31及び支持具18を組み込んだ固定具16をあらかじめ埋設固定しても、この左右の側枠６の梱包及び運搬が容易に行われる。
【００５５】
つぎに、前記実施の形態では、調整板31のスプリングワッシャ35の複数の弾性突片34の先端部34b は調整ねじ17の係止軸部29b に形成された環状溝30に回転自在にかつ軸方向に移動不能に嵌合する場合について説明したが、これに限らず、調整ねじ17の係止軸部29b には環状溝30を用いることなく調整ねじ17の係止軸部29b に調整板31の複数の弾性突片34の先端部34b を圧着させ、この複数の弾性突片34の先端部34b にて調整ねじ17の係止軸部29b を回動自在にかつ軸方向に移動不能に支持するようにしてもよい。
【００５６】
【発明の効果】
請求項１の発明によれば、固定具のねじ孔の一端面の挿入口からねじ孔内に調整板を嵌合することにより、このねじ孔の内端側に調整板の当接部を当接してこの調整板のねじ軸挿通孔を固定具の挿通孔に連通させることができる。また、固定具のねじ孔に支持具をこの支持具の外周部のねじ部を螺合して回動し、この支持具を深くねじ込むことにより、この支持具の治具挿入孔の他端開口縁部の支持部と固定具のねじ孔の内端側との間に調整板の当接部を確実に挟持して固定することができる。したがって、開口枠体の埋設位置に埋設固定する固定具内に調整板及び支持具を簡単に取り付けることができるとともに、この支持具にて固定具内に調整板を軸方向に移動不能に確実に支持することができる。
【００５７】
また、建具取付部に開口枠体を取り付けるときは、建具取付部に開口枠体の外側面を対向した状態で、この開口枠体に固定された固定具内の支持具の治具挿入孔から調整板のねじ軸挿通孔に調整ねじのねじ軸部を挿通し、この治具挿入孔内に位置した調整ねじの操作部を回動操作して調整ねじのねじ軸部が建具取付部に深くねじ込まれて調整ねじの操作部が調整板のねじ軸挿通孔の開口縁部に当接されると、この調整ねじの係止軸部に調整板のねじ軸挿通孔を形成した複数の弾性突片の先端部が確実に圧着し、この複数の弾性突片の先端部にて調整ねじがこの調整ねじのねじ込み方向と反対方向に向かって抜け出すことを確実に阻止でき、調整ねじを、固定具と支持具とにより挟持された調整板の複数の弾性突片にて軸方向に移動不能に確実に支持することができる。
【００５８】
したがって、開口枠体の埋設位置に調整板及び支持具を組み込んだ固定具を埋設固定した状態で支持具内から調整ねじを調整板を挿通して建具取付部にねじ込み操作することにより、この調整ねじにて建具取付部に開口枠体を簡単に取り付けることができる。
【００５９】
また、建具取付部に取り付けた開口枠体を建具取付部に対して垂直状に調整して矯正するときは、支持部の治具挿入孔内で調整ねじの操作部を回動操作することにより、この調整ねじの係止軸部が調整板の複数の弾性突片の先端部に対して回動されるとともに、この調整ねじのねじ軸部が建具取付部に対して調整回動されて進退回動されるが、このとき、調整ねじは、固定具と支持具とにより挟持された複数の弾性突片を有する調整板にて軸方向に移動不能に支持されていることにより、この調整ねじが調整回動されて進退動されると、この調整ねじにて調整板を介して開口枠体が建具取付部に対して進退動されて間隔が調整され、この開口枠体を建具取付部に対して簡単に垂直状に矯正することができる。
【００６０】
したがって、調整板及び支持具を組み込んだ固定具内の支持具に調整ねじを組付けることにより、建具取付部に対して開口枠体を簡単に取り付けることができるため、現場作業が容易であり、また、調整ねじを調整操作することにより、建具取付部に対して開口枠体を簡単に垂直状に矯正することができる。
【００６１】
また、開口枠体に調整板及び支持具を組み込んだ固定具を埋設固定しても、この固定具等とは別体の調整ねじが開口枠体の外面に突出することがなく、工場で開口枠体に調整板及び支持具を組み込んだ固定具をあらかじめ設けても、この開口枠体の梱包及び運搬を容易に行なうことができる。
【００６２】
請求項２の発明によれば、請求項１の発明の効果に加え、固定具は、一端面の挿入口の開口縁部にこの固定具を回動操作する複数の治具係合溝を有するとともに、ねじ孔の内端側に形成され調整板の当接部を当接する当接段部を有するので、複数の治具係合溝に固定具を回動操作する操作治具を係合して操作治具を回動操作することにより、固定具を確実に回動でき、特に固定具を開口枠体から取外す際に有利である。また、ねじ孔に調整板を嵌合したときはこのねじ孔の内端側の当接段部に調整板の当接部を確実に当接して支持具の支持部と相俟って調整板の当接部を確実に挟持することができる。
【００６３】
請求項３の発明によれば、請求項１の発明の効果に加え、支持具は、治具挿入孔の一端開口部にこの支持具を回動操作する多角形状の治具係合部を有するとともに、前記治具挿入孔の他端開口部内に調整ねじの操作部を回転自在に嵌合するので、多角形状の治具係合部に支持具を回動操作する操作治具を係合して支持具を回動操作することにより、この支持具を固定具のねじ孔に簡単にかつ確実に深くねじ込んで調整板を挟持でき、この支持具にて固定具を開口枠体の埋設位置に確実に埋設固定できる。また、治具挿入孔の他端開口部内に調整ねじの操作部を回転自在に嵌合することにより、治具挿入孔内において調整板に対して調整ねじの操作部を容易に調整回動できる。
【図面の簡単な説明】
【図１】本発明の一実施の形態を示す建具用開口枠固定金具の分解斜視図である。
【図２】同上建具取付部に開口枠体を取り付けた状態の拡大断面図である。
【図３】同上建具取付部に開口枠体を取り付けた状態の正面図である。
【符号の説明】
１    建具取付部
４    開口枠体
16    固定具
17    調整ねじ
18    支持具
19    挿入口
21    ねじ孔
23    挿通孔
24    圧入係止部
25    治具係合溝
26    当接段部
28    操作部
29a   ねじ軸部
29b   係止軸部
31    調整板
33a ，34a     ねじ軸挿通孔
34    弾性突片
34b   先端部
35a   当接部
37    ねじ部
38    治具挿入孔
39    治具係合部
41    支持部
【図１】
0003752073.tif 000002
【図２】
0003752073.tif 000003
【図３】
0003752073.tif 000004